(57)【要約】【課題】シャワー装置の付け外しの手間が大きかった。【解決手段】背もたれ部を有する椅子と、背もたれ部に設置されるシャワー装置とを備え、シャワー装置は、外部から水を供給可能な本体と、本体から延び、本体から供給される水を吐出するノズルをそれぞれ有する第１アーム及び第２アームと、本体と背もたれ部とを接続する取付部材と、を有し、取付部材は、背もたれ部に固定される基台部と、シャワー装置に固定され上下方向に延びる支持バーと、支持バーを基台部に固定するボルトと、を有する、シャワーシステム。【選択図】図２
2020089441.tif 000002
【特許請求の範囲】
【請求項１】
背もたれ部を有する椅子と、前記背もたれ部に設置されるシャワー装置とを備え、
前記シャワー装置は、外部から水を供給可能な本体と、前記本体から延び、前記本体から供給される水を吐出するノズルをそれぞれ有する第１アーム及び第２アームと、前記本体と前記背もたれ部とを接続する取付部材と、を有し、
前記取付部材は、
前記背もたれ部に固定される基台部と、
前記本体に固定され上下方向に延びる支持バーと、
前記支持バーを前記基台部に固定するボルトと、
を有する、
シャワーシステム。
【請求項２】
前記基台部は、上側に開口し前記支持バーが挿入される受け部を有する、
請求項１に記載のシャワーシステム。
【請求項３】
前記受け部は、上下に開口する貫通孔である、
請求項２に記載のシャワーシステム。
【請求項４】
前記基台部は、厚さ方向に重ね合わされる２枚の板金部材を有し、前記２枚の板金部材の間に前記支持バーを保持する、
請求項１から３のいずれか１項に記載のシャワーシステム。
【請求項５】
前記基台部は、厚さ方向に重ね合わされる２枚の板金部材を有し、前記２枚の板金部材によって前記背もたれ部の一部を挟み込むクランプ部を有する、
請求項１から４のいずれか１項に記載のシャワーシステム。
【請求項６】
前記支持バーは、前記支持バーが延びる方向に並ぶ複数の位置決め孔を有し、
前記位置決め孔に対して位置決めピンを抜き差し可能な位置決め機構を有する、
請求項１から５のいずれか１項に記載のシャワーシステム。
【請求項７】
前記取付部材は、複数の前記支持バーと、それぞれの前記支持バーを前記基台部に固定する複数の前記ボルトと、を有する、
請求項１から６のいずれか１項に記載のシャワーシステム。
【発明の詳細な説明】
【技術分野】
【０００１】
本発明は、シャワーシステムに関する。
【背景技術】
【０００２】
従来、使用者が座った状態でシャワーを浴びることができるシャワーユニット付きの椅子が知られる。例えば特許文献１には、浴用椅子とシャワー装置とが着脱可能なシャワーユニット付き椅子が開示されている。
【先行技術文献】
【特許文献】
【０００３】
【特許文献１】特開２００４−２２３０６０号公報
【発明の概要】
【発明が解決しようとする課題】
【０００４】
特許文献１記載のシャワーユニット付き椅子では、椅子の背もたれを取り外してシャワー装置を取り付ける構造であり、シャワー装置の付け外しの手間が大きかった。
【課題を解決するための手段】
【０００５】
本発明の一態様によれば、背もたれ部を有する椅子と、前記背もたれ部に設置されるシャワー装置とを備え、前記シャワー装置は、外部から水を供給可能な本体と、前記本体から延び、前記本体から供給される水を吐出するノズルをそれぞれ有する第１アーム及び第２アームと、前記本体と前記背もたれ部とを接続する取付部材と、を有し、前記取付部材は、前記背もたれ部に固定される基台部と、前記本体に固定され上下方向に延びる支持バーと、前記支持バーを前記基台部に固定するボルトと、を有する、シャワーシステムが提供される。
この構成によれば、ボルトを緩めることにより、基台部から支持バーを取り外すことができる。すなわち、椅子から背もたれ部１４を取り外すことなく、本体を椅子から取り外すことができる。したがって、上記構成によれば、椅子に対して簡便にシャワー装置の本体を付け外し可能である。
【０００６】
前記基台部は、上側に開口し前記支持バーが挿入される受け部を有する構成としてもよい。この構成によれば、支持バーを抜き差しするだけで、椅子から本体を簡便に着脱することができる。
【０００７】
前記受け部は、上下に開口する貫通孔である構成としてもよい。この構成によれば、本体の高さの調整範囲が広くなるので、体格の異なる使用者も共通の設備でシャワーを浴びることができる。
【０００８】
前記基台部は、厚さ方向に重ね合わされる２枚の板金部材を有し、前記２枚の板金部材の間に前記支持バーを保持する構成としてもよい。この構成によれば、２枚の板金部材を重ね合わせるシンプルな構造により基台部を構成でき、軽量であり、製造も容易なシャワー装置を備えるシャワーシステムとすることができる。
【０００９】
前記基台部は、厚さ方向に重ね合わされる２枚の板金部材を有し、前記２枚の板金部材によって前記背もたれ部の一部を挟み込むクランプ部を有する構成としてもよい。この構成によれば、２枚の板金部材を重ね合わせるシンプルな構成により背もたれ部への固定構造を実現でき、軽量であり、製造も容易なシャワー装置を備えるシャワーシステムとすることができる。
【００１０】
前記支持バーは、前記支持バーが延びる方向に並ぶ複数の位置決め孔を有し、前記位置決め孔に対して位置決めピンを抜き差し可能な位置決め機構を有する構成としてもよい。この構成によれば、ボルトを締め込む前に、位置決めピンによって支持バーの上下の動きを仮固定できる。したがって、設置者は、本体を手で支持することなく、ボルトを締め込むことができる。これにより、椅子への本体の付け外しがより容易になる。
【００１１】
前記取付部材は、複数の前記支持バーと、それぞれの前記支持バーを前記基台部に固定する複数の前記ボルトと、を有する構成としてもよい。この構成によれば、椅子の上方に、本体を安定に支持できるシャワーシステムとすることができる。
【発明の効果】
【００１２】
本発明のシャワーシステムによれば、椅子に対して簡便にシャワー装置を付け外し可能である。
【図面の簡単な説明】
【００１３】
【図１】図１は、実施形態のシャワーシステムを正面側から見た斜視図である。
【図２】図２は、実施形態のシャワーシステムを背面側から見た斜視図である。
【図３】図３は、基台部の斜視図である。
【図４】図４は、基台部の第１板金部材を示す斜視図である。
【図５】図５は、基台部の第２板金部材を示す斜視図である。
【図６】図６は、取付部材の動作説明図であって、背もたれ部の背面を示す斜視図である。
【図７】図７は、取付部材の動作説明図であって、シャワーシステムの側面図である。
【図８】図８は、取付部材の動作説明図であって、背もたれ部の背面を示す斜視図である。
【図９】図９は、取付部材の動作説明図であって、位置決め機構の動作を示す図である。
【図１０】図１０は、取付部材の動作説明図であって、シャワーシステムの側面図である。
【図１１】図１１は、取付部材の動作説明図であって、位置決め機構の動作を示す図である。
【図１２】図１２は、取付部材の動作説明図であって、背もたれ部の背面を示す斜視図である。
【図１３】図１３は、使用状態のシャワーシステムを示す斜視図である。
【発明を実施するための形態】
【００１４】
以下、本発明に係るシャワーシステムの一実施形態を、図面を参照して説明する。
図１及び図２に示すように、本実施形態のシャワーシステム１は、椅子１１と、シャワー装置４１と、を備えている。本実施形態のシャワーシステム１は、図１３に示すように、椅子１１に腰掛けた使用者に対してシャワー装置４１から水を吐出し、シャワーを浴びることができるシステムである。
なお、本明細書における水は、温度が高い、低いによらない一般的な水のことを意味し、常温の水、及びシャワー等に用いられる温度の湯等を含む意味である。
【００１５】
椅子１１には、公知の椅子を用いることができる。椅子１１は、浴室等でも使用可能なように、耐水性を有することが好ましい。例えば、椅子１１は、脚部１２と、座部１３と、背もたれ部１４と、肘掛け１５と、を備えている。
以下では、椅子１１に座る使用者にとっての左右方向（第１方向）Ｘ、前後方向（第２方向）Ｙを基準にして説明する。左右方向Ｘは、水平面に沿う方向である。前後方向Ｙは、水平面に沿い、かつ左右方向Ｘに直交する方向である。左右方向Ｘの一方側が右側Ｘ１であり、左右方向Ｘの他方側が左側Ｘ２である。前後方向Ｙの一方側が前方Ｙ１であり、前後方向Ｙの他方側が後方Ｙ２である。
【００１６】
座部１３は、一対の座板１７と、一対の座板１７を連結する連結部材１８と、を備えている。
座板１７は、厚さ方向が上下方向Ｚとなる板状に形成されている。座板１７は、上下方向Ｚから見た平面視で矩形状である。一対の座板１７は、左右方向Ｘに互いに間隔を空けて並ぶ。
連結部材１８は、前後方向Ｙから見たときに、上方が開口するＵ字状である。連結部材１８は、前後方向Ｙに延び、一対の座板１７を下方から支持する。連結部材１８は、一対の座板１７の下面同士を連結する。連結部材１８は、例えば樹脂により形成される。一対の座板１７は、連結部材１８よりも軟らかい材質であってもよい。
【００１７】
脚部１２は、座部１３を支持するフレーム２５の一部である。フレーム２５は、前脚フレーム２６と、前脚フレーム２６にヒンジ２９を介して連結される２本の後脚２１とを備える。脚部１２は、前脚フレーム２６におけるヒンジ２９よりも下方の部分と、一対の後脚２１とからなる。
【００１８】
前脚フレーム２６は、アルミニウム、ステンレス等の硬質の管材がＵ字状に折り曲げられた部材である。前脚フレーム２６は、左右方向Ｘに互いに間隔を空けて配置された一対の支持片２７と、一対の支持片２７の上部同士を接合する連結片２８と、を有する。
【００１９】
支持片２７は、下方に向かうに従って前方Ｙ１に向かうように傾斜している。各支持片２７は、長手方向の中間部で、ヒンジ２９（一方のヒンジ２９は不図示）により後脚２１の上端部に連結されている。各支持片２７の下端部には、樹脂製のキャップ３２が取付けられている。一対の支持片２７は、ヒンジ２９よりも下側の位置において、連結部材３０により互いに連結されている。連結部材３０は、棒状に形成され、左右方向Ｘに延びている。
【００２０】
連結片２８は、左右方向Ｘに延びる棒状である。なお、支持片２７と連結片２８を異なる材質の部品としてもよい。例えば、支持片２７を金属管からなる構成とし、連結片２８を硬質樹脂からなる構成としてもよい。
【００２１】
後脚２１は、アルミニウム、ステンレス等の管材で形成され、ほぼ真っ直ぐな棒状である。後脚２１は、下方に向かうに従って後方Ｙ２に向かうように傾斜している。一対の後脚２１は、左右方向Ｘに互いに間隔を空けて配置されている。一対の後脚２１は、左右方向Ｘに延びる棒状の連結部材２３により互いに連結されている。各後脚２１の下端部には、樹脂製のキャップ２２が取付けられている。
【００２２】
後脚２１は、ヒンジ２９を回転軸として、支持片２７に対して左右方向Ｘに沿う軸線周りに回転可能である。なお、後脚２１と支持片２７との角度は、所定の角度以上には開かないように、ヒンジ２９または他の規制部材により規制される。
【００２３】
図１及び図２に示すように、椅子１１の上端部に背板３６が配置されている。背板３６は、上下方向Ｚから見たときに、後方Ｙ２に向かって凸となるように湾曲している。背板３６は、前脚フレーム２６の連結片２８に、図示しないボルト等により固定されている。
背もたれ部１４は、背板３６と、連結片２８と、一対の支持片２７におけるヒンジ２９よりも上方の部分とにより構成される。座部１３は、背もたれ部１４よりも前方Ｙ１に配置されている。
【００２４】
肘掛け１５は、本実施形態では椅子１１に一対備えられている。肘掛け１５は、前後方向Ｙに延びている。一対の肘掛け１５は、左右方向Ｘに互いに間隔を空けて並ぶ。各々の肘掛け１５の後端部は、支持片２７におけるヒンジ２９よりも上方の部分に、回転可能に連結されている。肘掛け１５は、左右方向Ｘに沿う軸線周りに回転可能である。
肘掛け１５は、図１に示す状態から上側へ回転可能である一方、図１に示す状態から下方への回転は規制されている。
【００２５】
椅子１１は、図１に示す展開状態から折り畳み可能である。具体的には、前脚フレーム２６に対し、一対の後脚２１を回転させてほぼ平行に配置する。一対の肘掛け１５の前端部を上方に移動させ、一対の肘掛け１５を一対の支持片２７に対してほぼ平行に配置する。以上の操作により、椅子１１を折り畳み状態とすることができる。なお、シャワーシステム１に用いる椅子１１は、折り畳み機能を備えない椅子であっても、肘掛け１５を備えない椅子であってもよい。
【００２６】
シャワー装置４１は、図１及び図２に示すように、本体４２と、第１アーム４３Ａと、第２アーム４３Ｂと、取付部材４５と、を備えている。
【００２７】
本体４２は、左右方向Ｘの両端部に位置する第１アーム接続部４２Ａ及び第２アーム接続部４２Ｂと、本体４２の背面に位置する接続部４４と、下端部に位置する取付部材接続部４２Ｃと、を備える。本体４２は、内部に水の流路を有する。流路は、接続部４４から第１アーム接続部４２Ａ及び第２アーム接続部４２Ｂにそれぞれ延びる。
【００２８】
第１アーム接続部４２Ａには、第１アーム４３Ａが、回転可能に連結される。第１アーム接続部４２Ａを介して、本体４２の流路と、第１アーム４３Ａ内の水の流路とが接続される。第２アーム接続部４２Ｂには、第２アーム４３Ｂが回転可能に接続される。第２アーム接続部４２Ｂを介して、本体４２の流路と、第２アーム４３Ｂ内の水の流路とが接続される。
【００２９】
図２に示すように、接続部４４は、図示しない給水ホースが着脱可能に接続されるコネクタである。接続部４４は、本体４２の背面中央部に設けられる。接続部４４は、本体４２の内部に設けられる流路と、図示しない給水ホースとを接続する。本体４２には、接続部４４を介して給水ホースから水が供給される。接続部４４から供給された水は、本体４２の流路を通じて第１アーム４３Ａ及び第２アーム４３Ｂに供給される。
【００３０】
第１アーム４３Ａと第２アーム４３Ｂは、本体４２を左右方向Ｘに挟む。第１アーム４３Ａは本体４２の右側Ｘ１に配置され、第２アーム４３Ｂは本体４２の左側Ｘ２に配置されている。第１アーム４３Ａと第２アーム４３Ｂは、それぞれの基端部同士の間隔が使用者の肩幅程度である。
【００３１】
シャワー装置４１において、第１アーム４３Ａの構成と第２アーム４３Ｂの構成は、第１アーム４３Ａと第２アーム４３Ｂとの間に左右方向Ｘに直交するように規定される基準面に対して面対称である。以下では、主に第１アーム４３Ａの構成について詳細に説明することとし、第２アーム４３Ｂの構成についての説明を部分的に省略する場合がある。例えば、第１アーム４３Ａの第１前腕部４６Ａと、第２アーム４３Ｂの第２前腕部４６Ｂとは、互いに面対称となる構成である。
【００３２】
図１及び図２に示すように、第１アーム４３Ａは、第１前腕部４６Ａと、第１エルボ部材４７Ａと、第１上腕部４８Ａとが長さ方向に順に連結された構成を有する。本実施形態では、第１アーム４３Ａは、第１エルボ部材４７Ａの位置で鈍角に折れたＬ字形状である。第１アーム４３Ａの屈曲角度は、特に限定されないが、例えば１１０°〜１５０°の範囲である。
【００３３】
第１上腕部４８Ａは、本体４２から前方Ｙ１へ延びる。第１上腕部４８Ａは、内部に水の流路４８ａを有する管状部材である。第１上腕部４８Ａは、本実施形態の場合、アクリロニトリル・ブタジエン・スチレン（ＡＢＳ）樹脂、ポリプロピレン（ＰＰ）樹脂等の比較的硬質の材料の材料で形成される。
【００３４】
第１上腕部４８Ａは、基端側に連結部６５Ａを有する。連結部６５Ａは、本体４２に回転可能に連結される。この構成により、第１アーム４３Ａは、連結部６５Ａの回転軸Ｊ１を中心として回転可能である。すなわち、第１アーム４３Ａは、図１及び図２に示す使用状態の姿勢から、跳ね上げまたは押し下げによる姿勢の変更が可能である。
【００３５】
第１上腕部４８Ａは、第１上腕部４８Ａの壁部を貫通する複数のノズル５１Ａ、５２Ａを有する。ノズル５１Ａ及びノズル５２Ａは、第１上腕部４８Ａが延びる方向に並んで配置される。
【００３６】
第１エルボ部材４７Ａは、内部に水の流路を有する円筒部材である。第１エルボ部材４７Ａは、側面視で湾曲した形状である。第１エルボ部材４７Ａは、図１及び図２に示す設置状態において、前方Ｙ１と上方との間の方向に向かって凸となるように配置されている。第１エルボ部材４７Ａの後端部は、第１上腕部４８Ａの前端部に連結される。第１エルボ部材４７Ａ内の水の流路は、第１上腕部４８Ａの水の流路に繋がる。
【００３７】
第１エルボ部材４７Ａは、第１上腕部４８Ａに対して、第１上腕部４８Ａの長手方向（前後方向Ｙ）に沿って延びる中心軸周りに回転可能である。すなわち、第１アーム４３Ａは、第１上腕部４８Ａに対して、第１エルボ部材４７Ａ及び第１前腕部４６Ａを左右方向Ｘに振って動かすことができる。
【００３８】
第１エルボ部材４７Ａは、例えば、エラストマー、軟質ウレタン、ゴム等の比較的軟質の材料で形成される。第１エルボ部材４７Ａは、硬質の樹脂または金属により形成してもよい。第１エルボ部材４７Ａの内周面に、防水用のシート（フィルム）を配置してもよい。第１エルボ部材４７Ａを、軟質ウレタンフォーム等の発泡材により形成する場合には、第１エルボ部材４７Ａの外面に発泡倍率が低いスキン層が形成される。このスキン層により、水漏れを防止してもよい。
【００３９】
第１前腕部４６Ａは、内部に水の流路を有する管状部材である。第１前腕部４６Ａは、第１エルボ部材４７Ａの前端部に連結される。第１前腕部４６Ａ内の水の流路は、第１エルボ部材４７Ａ内の水の流路に繋がる。
【００４０】
第１前腕部４６Ａは、第１エルボ部材４７Ａの前端部から、前方Ｙ１に向かうに従い漸次、下方に向かうように傾斜して延びる。第１前腕部４６Ａは、第１上腕部４８Ａと同様に、アクリロニトリル・ブタジエン・スチレン（ＡＢＳ）樹脂、ポリプロピレン（ＰＰ）樹脂等の比較的硬質の材料からなる。したがって第１アーム４３Ａでは、第１前腕部４６Ａ及び第１上腕部４８Ａよりも、第１エルボ部材４７Ａが柔らかく、変形させやすい。
【００４１】
第１前腕部４６Ａは、第１エルボ部材４７Ａに対して、第１前腕部４６Ａの長手方向に沿って延びる中心軸Ｊ３周りに回転可能である。すなわち、第１アーム４３Ａは、第１前腕部４６Ａを、第１上腕部４８Ａに対する相対位置を固定したまま、中心軸Ｊ３周りに回転させることができる。これにより、第１上腕部４８Ａの位置を固定した状態で、後述する第１前腕部４６Ａのノズル５３Ａ〜５６Ａの使用者に対する配置角度を調整できる。この構成によれば、体格の異なる使用者の身体に対してより確実に水を吐出できる。
【００４２】
第１前腕部４６Ａは、第１前腕部４６Ａの壁部を貫通する複数のノズル５３Ａ〜５６Ａを有する。各ノズル５３Ａ〜５６Ａは、第１前腕部４６Ａ内の流路に繋がる。各ノズル５３Ａ〜５６Ａは、流路に供給された水を外部に吐出する。
【００４３】
３つのノズル５３Ａ、５４Ａ、５５Ａは、第１前腕部４６Ａの側面に、上側からこの順に並んで配置される。本実施形態の場合、ノズル５３Ａと、ノズル５４Ａと、ノズル５５Ａは、第１前腕部４６Ａの延びる方向に沿ってほぼ等間隔に配置される。ノズル５３Ａ〜５５Ａの相互の間隔は、適宜変更可能である。ノズル５６Ａは、第１前腕部４６Ａの先端に位置する。ノズル５６Ａを備えることにより、使用者の脚部へも水を吐出できる。
【００４４】
第２アーム４３Ｂは、図１及び図２に示すように、第２前腕部４６Ｂと、第２エルボ部材４７Ｂと、第２上腕部４８Ｂとを備える。第２アーム４３Ｂは、第２上腕部４８Ｂの後端部に設けられる連結部６５Ｂを介して本体４２に連結される。第２アーム４３Ｂは、本体４２に対して、連結部６５Ｂの回転軸Ｊ２を中心として回転可能である。また、第２エルボ部材４７Ｂは、第２上腕部４８Ｂに対して、第２上腕部４８Ｂの中心軸周りに回転可能である。第２前腕部４６Ｂは、第２エルボ部材４７Ｂに対して、第２前腕部４６Ｂの長手方向に沿って延びる中心軸Ｊ４周りに回転可能である。
【００４５】
第２アーム４３Ｂの第２前腕部４６Ｂ、第２エルボ部材４７Ｂ、及び第２上腕部４８Ｂは、第１アーム４３Ａの第１前腕部４６Ａ、第１エルボ部材４７Ａ、及び第１上腕部４８Ａとそれぞれ面対称に構成される。
第２アーム４３Ｂの第２上腕部４８Ｂは、ノズル５１Ｂ、５２Ｂを有する。第２前腕部４６Ｂは、ノズル５３Ｂ、５４Ｂ、５５Ｂ、５６Ｂを有する。第２アーム４３Ｂの各ノズル５１Ｂ〜５６Ｂは、第１アーム４３Ａの各ノズル５１Ａ〜５６Ａと面対称に構成される。
【００４６】
取付部材４５は、図２及び図３に示すように、第１支持バー７１Ａ及び第２支持バー７１Ｂと、基台部８１と、第１ボルト８２Ａ及び第２ボルト８２Ｂと、第１位置決め機構８５Ａ及び第２位置決め機構８５Ｂと、を有する。
第１支持バー７１Ａ及び第２支持バー７１Ｂは、本実施形態の場合、アルミニウム、ステンレス等からなる金属パイプである。第１支持バー７１Ａ及び第２支持バー７１Ｂは、それぞれ上下方向Ｚに延びる。第１支持バー７１Ａの上端部及び第２支持バー７１Ｂの上端部は、本体４２の取付部材接続部４２Ｃに固定される。
【００４７】
第１支持バー７１Ａは、第１支持バー７１Ａが延びる方向に沿って並ぶ複数の位置決め孔７２Ａを有する。複数の位置決め孔７２Ａは、第１支持バー７１Ａの左側Ｘ２を向く側面に設けられる。第２支持バー７１Ｂは、第２支持バー７１Ｂの右側Ｘ１を向く側面に、第２支持バー７１Ｂが延びる方向に沿って並ぶ複数の位置決め孔７２Ｂを有する。第１支持バー７１Ａの複数の位置決め孔７２Ａと、第２支持バー７１Ｂの複数の位置決め孔７２Ｂは、左右方向Ｘにおいて互いに対向する（図２及び図９参照）。
【００４８】
第１支持バー７１Ａ及び第２支持バー７１Ｂは、それぞれの上端部の近傍に、第１ストッパー７５Ａ及び第２ストッパー７５Ｂを有する。第１ストッパー７５Ａ及び第２ストッパー７５Ｂは、後述する基台部８１の第１受け部８４Ａ及び第２受け部８４Ｂの上端に引っ掛かる突起部である。第１ストッパー７５Ａ及び第２ストッパー７５Ｂを備えることにより、シャワー装置４１を最も低い位置に配置したときでも、本体４２と背もたれ部１４との接触を防止できる。
【００４９】
基台部８１は、図３から図５に示すように、厚さ方向に重ね合わされる第１板金部材８１ａと、第２板金部材８１ｂとを有する。第１板金部材８１ａは、第１板金部材８１ａを厚さ方向に貫通する複数の貫通孔９１ａを有する。第２板金部材８１ｂは、第２板金部材８１ｂを厚さ方向に貫通する複数の貫通孔９１ｂを有する。貫通孔９１ａ、９１ｂは、第１板金部材８１ａと第２板金部材８１ｂとを重ね合わせた状態で、互いに重なる。第１板金部材８１ａと第２板金部材８１ｂは、貫通孔９１ａ、９１ｂに挿入される図示しないボルトにより締結され一体化される。
【００５０】
第１板金部材８１ａは、図４に示すように、左右対称な形状を有する。第１板金部材８１ａは、いずれも平板状の立板部１８１、連結部１８２Ａ、１８２Ｂ、立板部１８３Ａ、１８４Ｂ、天板部１８４Ａ、１８４Ｂ、及び前側クランプ板部１８５Ａ、１８５Ｂを有する。
【００５１】
立板部１８１は、前後方向Ｙに直交する面を有し、左右方向Ｘに延びる。立板部１８１の左右方向Ｘの両端から連結部１８２Ａ、１８２Ｂが前方Ｙ１へ延びる。連結部１８２Ａの前端から立板部１８３Ａが右側Ｘ１へ延びる。連結部１８２Ｂの前端から立板部１８３Ｂが左側Ｘ２へ延びる。
【００５２】
立板部１８３Ａの右側部分の下端から、天板部１８４Ａが前方Ｙ１へ延びる。天板部１８４Ａの前端から、前側クランプ板部１８５Ａが前方斜め下方向へ延びる。立板部１８３Ｂの左側部分の下端から、天板部１８４Ｂが前方Ｙ１へ延びる。天板部１８４Ｂの前端から、前側クランプ板部１８５Ｂが前方斜め下方向へ延びる。
【００５３】
第２板金部材８１ｂは、図５に示すように、左右対称な形状を有する。第２板金部材８１ｂは、いずれも平板状の立板部２８１、連結部２８２Ａ、２８２Ｂ、立板部２８３Ａ、２８３Ｂ、連結部２８４Ａ、２８４Ｂ、後側クランプ板部２８５Ａ、２８５Ｂ、及び底板部２８６Ａ、２８６Ｂを有する。
【００５４】
立板部２８１は、前後方向Ｙに直交する面を有し、左右方向Ｘに延びる。立板部２８１の左右方向Ｘの両端から連結部２８２Ａ、２８２Ｂが前方Ｙ１へ延びる。連結部２８２Ａの前端から立板部２８３Ａが右側Ｘ１へ延びる。連結部２８２Ｂの前端から立板部２８３Ｂが左側Ｘ２へ延びる。
【００５５】
立板部２８３Ａの下端から、連結部２８４Ａが前方Ｙ１へ延びる。連結部２８４Ａの前端から、後側クランプ板部２８５Ａが前方斜め下方向へ延びる。後側クランプ板部２８５Ａの右側部分の下端から、底板部２８６Ａが前方Ｙ１へ延びる。
立板部２８３Ｂの右側端部の下端から、連結部２８４Ｂが前方Ｙ１へ延びる。連結部２８４Ｂの前端から、後側クランプ板部２８５Ｂが前方斜め下側へ延びる。後側クランプ板部２８５Ｂの左側部分の下端から底板部２８６Ａが前方Ｙ１へ延びる。
【００５６】
基台部８１は、図３に示すように、全体として左右対称の形状を有する。基台部８１は、第１板金部材８１ａの中央の立板部１８１の両側に、上下方向に延びる断面四角形状の貫通孔からなる第１受け部８４Ａ及び第２受け部８４Ｂを有する。基台部８１は、左右方向の両端部に、前方斜め下側に向かって開口する第１クランプ部９０Ａ及び第２クランプ部９０Ｂを有する。
【００５７】
第１受け部８４Ａは、第１板金部材８１ａの連結部１８２Ａ及び立板部１８３Ａと、第２板金部材８１ｂの立板部２８１及び連結部２８２Ａとに囲まれる領域である。第２受け部８４Ｂは、第１板金部材８１ａの連結部１８２Ｂ及び立板部１８３Ｂと、第２板金部材８１ｂの立板部２８１及び連結部２８２Ｂとに囲まれる領域である。第１受け部８４Ａには上側から第１支持バー７１Ａが挿入される。第２受け部８４Ｂには上側から第２支持バー７１Ｂが挿入される。
【００５８】
第２板金部材８１ｂは、図３及び図５に示すように、立板部２８１の右側Ｘ１の端部近傍に、基台部８１の後面から第１受け部８４Ａ内及び第２受け部８４Ｂに開口する２つのねじ孔９１ｃを有する。
【００５９】
図２に示すように、第１受け部８４Ａ内に開口するねじ孔９１ｃに、第１ボルト８２Ａが締め込まれる。第１ボルト８２Ａは、第１受け部８４Ａに挿入される第１支持バー７１Ａを基台部８１に対して固定する。
第２受け部８４Ｂ内に開口するねじ孔９１ｃに、第２ボルト８２Ｂが締め込まれる。第２ボルト８２Ｂは、第２受け部８４Ｂに挿入される第２支持バー７１Ｂを基台部８１に対して固定する。
本実施形態では、第１ボルト８２Ａ及び第２ボルト８２Ｂは、頭部にノブを有するノブボルトである。
【００６０】
第１クランプ部９０Ａは、前側クランプ板部１８５Ａ及び後側クランプ板部２８５Ａと、天板部１８４Ａ及び底板部２８６Ａと、を有する。第２クランプ部９０Ｂは、前側クランプ板部１８５Ｂ及び後側クランプ板部２８５Ｂと、天板部１８４Ｂ及び底板部２８６Ｂと、を有する。
【００６１】
第１位置決め機構８５Ａ及び第２位置決め機構８５Ｂは、立板部２８１の前面下部に配置される。第１位置決め機構８５Ａと、第２位置決め機構８５Ｂは、左右方向Ｘに沿って並ぶ。第１位置決め機構８５Ａ及び第２位置決め機構８５Ｂは、第１受け部８４Ａ及び第２受け部８４Ｂの下側の開口よりも下側に位置する。
【００６２】
第１位置決め機構８５Ａは、立板部２８１の右側Ｘ１の下部に配置される。第１位置決め機構８５Ａは、左右方向Ｘに延びる第１位置決めピン９２Ａと、第１位置決めピン９２Ａの左側Ｘ２の端部を保持する保持部材９３Ａと、保持部材９３Ａの下面から下側へ延びる操作部９４Ａと、を有する。
【００６３】
第２位置決め機構８５Ｂは、立板部２８１の左側Ｘ２の下部に配置される。第２位置決め機構８５Ｂは、左右方向Ｘに延びる第２位置決めピン９２Ｂと、第２位置決めピン９２Ｂの右側Ｘ１の端部を保持する保持部材９３Ｂと、保持部材９３Ｂの下面から下側へ延びる操作部９４Ｂと、を有する。
【００６４】
第１位置決め機構８５Ａ及び第２位置決め機構８５Ｂは、それぞれ、操作部９４Ａ及び操作部９４Ｂの操作により、独立に左右方向Ｘにスライド可能である。
第１位置決め機構８５Ａは、操作部９４Ａを左右に移動させることにより、第１位置決めピン９２Ａを、第１受け部８４Ａの下側の領域に対して進退させることができる。これにより、第１位置決めピン９２Ａを、第１支持バー７１Ａの位置決め孔７２Ａに抜き差し可能である。
第２位置決め機構８５Ｂは、操作部９４Ｂを左右に移動させることにより、第２位置決めピン９２Ｂを、第２受け部８４Ｂの下側の領域に対して進退させることができる。これにより、第２位置決めピン９２Ｂを、第２支持バー７１Ｂの位置決め孔７２Ｂに抜き差し可能である。
【００６５】
本実施形態の場合、第１位置決め機構８５Ａは、第１位置決めピン９２Ａ及び保持部材９３Ａを右側Ｘ１へ押しつけるコイルばね等の弾性部材９５Ａを有する。第２位置決め機構８５Ｂは、第２位置決めピン９２Ｂを左側Ｘ２へ押しつけるコイルばね等の弾性部材９５Ｂを有する。第１位置決めピン９２Ａ及び第２位置決めピン９２Ｂは、上記の弾性部材によって、位置決め孔７２Ａ、７２Ｂにそれぞれ挿入された状態で保持される。
【００６６】
次に、以上のように構成されたシャワーシステム１の設置方法について説明する。
シャワーシステム１を設置するには、設置者は、図６に示すように、椅子１１の背もたれ部１４に、基台部８１を取り付ける。設置者は、基台部８１の第１クランプ部９０Ａ及び第２クランプ部９０Ｂを、背もたれ部１４の連結片２８に固定する。
【００６７】
第１クランプ部９０Ａは、図３及び図４に示した前側クランプ板部１８５Ａと後側クランプ板部２８５Ａとにより連結片２８を前後方向Ｙに挟む。また第１クランプ部９０Ａは、天板部１８４Ａと底板部２８６Ａとにより、連結片２８を上下方向Ｚに挟む。第１クランプ部９０Ａにおいて、前側クランプ板部１８５Ａと後側クランプ板部２８５Ａとは、図示しないボルトにより締結固定される。
【００６８】
第２クランプ部９０Ｂの前側クランプ板部１８５Ｂ、後側クランプ板部２８５Ｂ、天板部１８４Ｂ、及び底板部２８６Ｂについても、第１クランプ部９０Ａと同様に、連結片２８を前後方向Ｙ及び上下方向Ｚにおいて挟む。第２クランプ部９０Ｂにおいて、前側クランプ板部１８５Ｂと後側クランプ板部２８５Ｂとは、図示しないボルトにより締結固定される。
【００６９】
基台部８１の設置後、設置者は、シャワー装置４１を取り付けるために、図６に示すように、第１ボルト８２Ａ及び第２ボルト８２Ｂを緩める。
図７に示すように、シャワー装置４１の本体４２には、取付部材４５の第１支持バー７１Ａ及び第２支持バー７１Ｂが固定される。設置者は、シャワー装置４１を支持しながら、第１支持バー７１Ａ及び第２支持バー７１Ｂの下端を、第１受け部８４Ａ及び第２受け部８４Ｂへ上側から挿入する。
【００７０】
このとき、第１位置決め機構８５Ａの第１位置決めピン９２Ａは、弾性部材９５Ａにより第１受け部８４Ａの下部に進出した状態であり、第２位置決め機構８５Ｂの第２位置決めピン９２Ｂは、弾性部材９５Ｂにより第２受け部８４Ｂの下部に進出した状態である。そのため、第１支持バー７１Ａ及び第２支持バー７１Ｂは、それぞれの下端が第１位置決めピン９２Ａ及び第２位置決めピン９２Ｂに突き当たる位置で下側へは移動できなくなる。
【００７１】
次に、設置者は、図８及び図９に示すように、第１位置決め機構８５Ａの操作部９４Ａと第２位置決め機構８５Ｂの操作部９４Ｂを、それぞれ内側へスライドさせる。これにより、第１位置決めピン９２Ａ及び第２位置決めピン９２Ｂが、それぞれ第１受け部８４Ａ及び第２受け部８４Ｂの下部から退出し、図１０に示すように、第１支持バー７１Ａ及び第２支持バー７１Ｂが、さらに下側へ移動可能となる。
【００７２】
設置者は、本体４２を所望の高さ位置に移動させる。図１１に示すように、第１支持バー７１Ａの位置決め孔７２Ａ及び第２支持バー７１Ｂの位置決め孔７２Ｂが、第１位置決めピン９２Ａ及び第２位置決めピン９２Ｂの正面に配置されると、第１位置決め機構８５Ａの弾性部材９５Ａ及び第２位置決め機構８５Ｂの弾性部材９５Ｂにより、第１位置決めピン９２Ａが位置決め孔７２Ａに挿入され、第２位置決めピン９２Ｂが位置決め孔７２Ｂに挿入される。
【００７３】
第１支持バー７１Ａ及び第２支持バー７１Ｂは、第１位置決めピン９２Ａ及び第２位置決めピン９２Ｂによって基台部８１に仮固定される。設置者が本体４２から手を離しても、本体４２が落下することはない。
設置者は、本体４２の高さ位置を仮固定した後、図１２に示すように、第１ボルト８２Ａ及び第２ボルト８２Ｂを締め込み、第１支持バー７１Ａ及び第２支持バー７１Ｂを基台部８１に固定する。
以上により、シャワーシステム１の設置が完了する。
【００７４】
シャワーシステム１を用いてシャワーを浴びるには、図１３に示すように、使用者Ｐは、背もたれ部１４の前方Ｙ１で椅子１１に座る。シャワー装置４１の第１アーム４３Ａは、使用者Ｐの背後から右肩の上側を通って前方へ延び、第１前腕部４６Ａが上側から下側へ回り込んで、使用者Ｐの右半身の前面と対向して配置される。第２アーム４３Ｂは、使用者Ｐの背後から左肩の上側を通って前方へ延び、第２前腕部４６Ｂが上側から下側へ回り込んで、使用者Ｐの左半身の前面と対向して配置される。
【００７５】
使用者Ｐは、第１アーム４３Ａ及び第２アーム４３Ｂに設けられた複数のノズル５１Ａ〜５６Ａ及びノズル５１Ｂ〜５６Ｂから吐出される水Ｗを浴び、シャワーを浴びる。
使用者Ｐは、第１上腕部４８Ａ及び第２上腕部４８Ｂのノズル５１Ａ、５１Ｂ及びノズル５２Ａ、５２Ｂにより、主に背中と肩口にシャワーを浴びることができる。使用者Ｐは、第１前腕部４６Ａ及び第２前腕部４６Ｂのノズル５３Ａ〜５５Ａ、５３Ｂ〜５５Ｂにより、両腕と上半身の前面側に全体的にシャワーを浴びることができる。使用者Ｐは、第１前腕部４６Ａ及び第２前腕部４６Ｂのノズル５６Ａ、５６Ｂにより、大腿部を含む下半身にシャワーを浴びることができる。
【００７６】
以上説明したように、本実施形態のシャワーシステム１では、シャワー装置４１を椅子１１に固定する取付部材４５が、背もたれ部１４に固定される基台部８１と、本体４２に固定され上下方向に延びる第１支持バー７１Ａ及び第２支持バー７１Ｂと、第１支持バー７１Ａ及び第２支持バー７１Ｂを基台部８１に固定する第１ボルト８２Ａ及び第２ボルト８２Ｂとを有する。この構成によれば、第１ボルト８２Ａ及び第２ボルト８２Ｂを緩めることにより、基台部８１から第１支持バー７１Ａ及び第２支持バー７１Ｂを取り外すことができる。すなわち、椅子１１から背もたれ部１４を取り外すことなく、本体４２を椅子１１から取り外すことができる。したがって、本実施形態のシャワーシステム１によれば、椅子１１に対して簡便にシャワー装置４１を付け外し可能である。
【００７７】
本実施形態のシャワーシステム１では、第１ボルト８２Ａ及び第２ボルト８２Ｂは、頭部にノブを有するノブボルトである。この構成によれば、使用者は、第１ボルト８２Ａ及び第２ボルト８２Ｂを、使用者の手で締めたり緩めたりすることができる。したがって、シャワー装置４１の取付け、取外しに特別な道具を必要とせず、シャワー装置４１の本体４２を簡単に着脱できる。
【００７８】
本実施形態のシャワーシステム１では、第１支持バー７１Ａ及び第２支持バー７１Ｂは、基台部８１において上側に開口する第１受け部８４Ａ及び第２受け部８４Ｂにそれぞれ挿入される。この構成によれば、第１支持バー７１Ａ及び第２支持バー７１Ｂを抜き差しするだけで、椅子１１から本体４２を簡便に着脱することができる。
【００７９】
また本実施形態では、第１受け部８４Ａ及び第２受け部８４Ｂは、基台部８１を上下に貫通する貫通孔である。これにより、本体４２の高さの調整範囲が広くなるので、体格の異なる使用者も共通の設備でシャワーを浴びることができる。
【００８０】
本実施形態のシャワーシステム１では、基台部８１は、厚さ方向に重ね合わされる第１板金部材８１ａと第２板金部材８１ｂとを有し、第１板金部材８１ａと第２板金部材８１ｂとの間に第１支持バー７１Ａ及び第２支持バー７１Ｂを保持する。この構成によれば、２枚の板金部材を重ね合わせるシンプルな構造により基台部８１を構成でき、軽量であり、製造も容易なシャワー装置４１を備えるシャワーシステム１とすることができる。
【００８１】
本実施形態のシャワーシステム１では、基台部８１は、第１板金部材８１ａと第２板金部材８２ｂとによって背もたれ部１４の一部を挟み込む第１クランプ部９０Ａ及び第２クランプ部９０Ｂを有する。この構成によれば、２枚の板金部材を重ね合わせるシンプルな構成により背もたれ部１４への固定構造を実現でき、軽量であり、製造も容易なシャワー装置４１を備えるシャワーシステム１とすることができる。
【００８２】
本実施形態のシャワーシステム１は、第１支持バー７１Ａ及び第２支持バー７１Ｂは、第１支持バー７１Ａ及び第２支持バー７１Ｂが延びる方向に並ぶ複数の位置決め孔７２Ａ、７２Ｂを有し、位置決め孔７２Ａ、７２Ｂに対して第１位置決めピン９２Ａ及び第２位置決めピン９２Ｂを抜き差し可能な第１位置決め機構８５Ａ及び第２位置決め機構８５Ｂを有する。この構成によれば、第１ボルト８２Ａ及び第２ボルト８２Ｂを締め込む前に、第１位置決めピン９２Ａ及び第２位置決めピン９２Ｂによって第１支持バー７１Ａ及び第２支持バー７１Ｂの上下の動きを仮固定できる。したがって、設置者は本体４２を手で支持することなく、第１ボルト８２Ａ及び第２ボルト８２Ｂを締め込むことができる。これにより、椅子１１への本体４２の付け外しがより容易になる。
【００８３】
本実施形態のシャワーシステム１では、取付部材４５は、複数の支持バー７１Ａ、７１Ｂと、それぞれの支持バー７１Ａ、７１Ｂを基台部８１に固定する複数のボルト８２Ａ、８２Ｂと、を有する。この構成によれば、椅子１１の上方に、本体４２を安定に支持できるシャワーシステム１とすることができる。
【００８４】
本実施形態のシャワー装置４１及びシャワーシステム１では、第１アーム４３Ａは、第１上腕部４８Ａと第１前腕部４６Ａとを接続する第１エルボ部材４７Ａを有し、第１上腕部４８Ａ及び第１前腕部４６Ａは、第１エルボ部材４７Ａに対して、それぞれの軸周りに回転可能である。第２アーム４３Ｂは、第２上腕部４８Ｂと第２前腕部４６Ｂとを接続する第２エルボ部材４７Ｂを有し、第２上腕部４８Ｂ及び第２前腕部４６Ｂは、第２エルボ部材４７Ｂに対して、それぞれの軸周りに回転可能である。
この構成によれば、使用者の前面側に配置される第１前腕部４６Ａ及び第２前腕部４６Ｂを、使用者が自在に動かせるため、使用者自身が水のかかる位置を容易に調整でき、快適にシャワーを浴びることができる。また、体格の異なる使用者にも容易に対応できる。
【００８５】
本実施形態では、第１アーム４３Ａ及び第２アーム４３Ｂは、本体４２に対して上側及び下側の少なくとも一方に回動可能である。この構成によれば、シャワー装置４１を使用しないときに、第１アーム４３Ａ及び第２アーム４３Ｂを、跳ね上げまたは押し下げることで、本体４２の前方Ｙ１へ突出しない位置に収納できる。本実施形態によれば、非使用時に第１アーム４３Ａ及び第２アーム４３Ｂが邪魔になりにくいシャワーシステム１が提供される。
【００８６】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
【００８７】
第１ボルト８２Ａ及び第２ボルト８２Ｂは、ノブボルトでなくてもよい。例えば、第１ボルト８２Ａ及び第２ボルト８２Ｂは、六角ボルトなどであってもよく、ボルトの頭部に手操作が可能なレバーを備える構成であってもよい。
第１位置決め機構８５Ａ及び第２位置決め機構８５Ｂの弾性部材９５Ａ、９５Ｂを備えず、操作部９４Ａ、９４Ｂを手動操作する構成としてもよい。
第１前腕部４６Ａ、第１エルボ部材４７Ａ、及び第１上腕部４８Ａは、接着等により相互に接合されてもよい。第２前腕部４６Ｂ、第２エルボ部材４７Ｂ、及び第２上腕部４８Ｂは、接着等により相互に接合されてもよい。
第１エルボ部材４７Ａ及び第２エルボ部材４７Ｂは、変形容易な部材でなくてもよい。
【符号の説明】
【００８８】
１…シャワーシステム
１１…椅子
１４…背もたれ部
４１…シャワー装置
４２…本体
４３Ａ…第１アーム
４３Ｂ…第２アーム
４５…取付部材
５１Ａ，５１Ｂ，５２Ａ，５３Ａ，５３Ｂ，５４Ａ，５５Ａ，５６Ａ…ノズル
７１Ａ，７１Ｂ…支持バー
７２Ａ，７２Ｂ…位置決め孔
８１…基台部
８１ａ，８１ｂ…板金部材
８２Ａ，８２Ｂ…ボルト
８４Ａ，８４Ｂ…受け部
８５Ａ，８５Ｂ…位置決め機構
９０Ａ，９０Ｂ…クランプ部
９２Ａ，９２Ｂ…位置決めピン
Ｗ…水
Ｘ…左右方向
Ｙ…前後方向
Ｚ…上下方向
【図１】
2020089441.tif 000003
【図２】
2020089441.tif 000004
【図３】
2020089441.tif 000005
【図４】
2020089441.tif 000006
【図５】
2020089441.tif 000007
【図６】
2020089441.tif 000008
【図７】
2020089441.tif 000009
【図８】
2020089441.tif 000010
【図９】
2020089441.tif 000011
【図１０】
2020089441.tif 000012
【図１１】
2020089441.tif 000013
【図１２】
2020089441.tif 000014
【図１３】
2020089441.tif 000015